(57)【要約】【課題】屋根などの基体上に複数のパネルを容易且つ効率的に配置することができ、また、各パネルの着脱を容易に行うことのできるパネル取付具を提供する。【解決手段】基体１００上に固定される方形状のベース板２と、前記ベース板上の左右方向両側において、それぞれ前後方向に延びる壁板部３ａと該壁板部の上端から外方に突出する鍔板部３ｂとを有し、左右両側が外方に開口する断面コの字状に形成された一対のガイド部３と、前記一対のガイド部に設けられ、前記ガイド部の左右両側の開口からそれぞれパネルの縁部が挿入されることにより、前記挿入された各パネルの少なくとも上面または下面を押圧し、前記各パネルを前記ガイド部に把持させるパネル押圧手段６，７とを備える【選択図】図２
2014218812.tif 000002
【特許請求の範囲】
【請求項１】
基体上において少なくともパネルの両側にそれぞれ設けられ、前記パネルの縁部を保持するパネル取付具であって、
前記基体上に固定される方形状のベース板と、
前記ベース板上の左右方向両側において、それぞれ前後方向に延びる壁板部と該壁板部の上端から外方に突出する鍔板部とを有し、左右両側が外方に開口する断面コの字状に形成された一対のガイド部と、
前記一対のガイド部に設けられ、前記ガイド部の左右両側の開口からそれぞれパネルの縁部が挿入されることにより、前記挿入された各パネルの少なくとも上面または下面を押圧し、前記各パネルを前記ガイド部に把持させるパネル押圧手段とを備えることを特徴とするパネル取り付け具。
【請求項２】
前記パネル押圧手段は、
少なくとも前記ベース板または前記鍔板部に形成された左右方向に延びる開口部と、
該開口部の長手方向の中央に設けられた前後方向に延びる回転軸と、
前記回転軸によって前記開口部内でシーソー状に回動自在な回動バーと、
前記回動バーの両端に設けられたパネル押さえ部材とを有し、
前記パネル押さえ部材は、少なくとも前記ガイド部の底面部または天井部に位置し、前記ガイド部の左右両側の開口からそれぞれ挿入されたパネルの上面または下面を押圧することを特徴とする請求項１に記載されたパネル取付具。
【請求項３】
前記パネル押さえ部材は、弾性部材により形成されていることを特徴とする請求項１または請求項２に記載されたパネル取付具。
【請求項４】
前記パネル押さえ部材は、前記回動バーの両端に着脱可能に嵌合していることを特徴とする請求項１乃至請求項３のいずれかに記載されたパネル取付具。
【請求項５】
前記パネル押圧手段は、
少なくとも前記ガイド部の前後方向両側に、それぞれ１つ若しくは複数設けられることを特徴とする請求項１乃至請求項４のいずれかに記載されたパネル取付具。
【請求項６】
前記ベース板は、前記基体の上面から突設されたボルトが挿入可能な孔を有し、
前記孔に前記ボルトが挿通された状態で、前記ベース板が前記基体上に配置され、前記ベース板は、前記ボルトに螺合可能なナットの締結により前記基体上に固定されることを特徴とする請求項１乃至請求項５のいずれかに記載されたパネル取付具。
【発明の詳細な説明】
【技術分野】
【０００１】
本発明は、パネル取付具に関し、例えば折板屋根の上に複数の太陽光パネルなどを容易に取付配置することができ、また、容易に取り外すことのできるパネル取付具に関する。
【背景技術】
【０００２】
従来、金属製の折板屋根上に太陽光発電パネル（以下、単純に太陽光パネルと称する）を取り付ける構造としては、例えば特許文献１に開示された取付装置がある。
図１２に、この特許文献１に開示の取付装置を用いて、平面方形状の太陽光パネル２００を並べて配置した平面図を示し、図１３に、１つの取付装置５０の断面図を示す。
【０００３】
図１２に示すように、各太陽光パネル２００（２００Ａ、２００Ｂ、２００Ｃ）は、四方をそれぞれ取付装置５０（５０Ａ、５０Ｂ、５０Ｃ、５０Ｄ、５０Ｅ、５０Ｆ）によって折板屋根２０１上に固定されている。
また、図１３に示すように、各取付装置５０は、折板屋根２０１に対し固定されるベース具５１と、ベース具５１上にボルト５２及びナット５５により固定される受台板部５３及び押さえ板部５４とを有する。
【０００４】
図示するように、太陽光パネル２００の縁部（枠部材２００ａ）は、前記受台板部５３と押さえ板部５４との間で狭持され、前記ボルト５２及びナット５５をベース具５１に対し締め込むことにより、強固に固定されるようになっている。
また、図示するように、取付装置５０は、その左右両側で、隣り合う太陽光パネル２００の縁部を把持することができるため、隣り合う太陽光パネル２００間の隙間を小さくすることができ、折板屋根２０１上に効率的に複数の太陽光パネル２００を配置することができる。
【先行技術文献】
【特許文献】
【０００５】
【特許文献１】特開２０１２−１６７４５６号公報
【発明の概要】
【発明が解決しようとする課題】
【０００６】
一般には、複数の太陽光パネル２００は、全体の受光面積が大きくなるように、折板屋根２０１上の縦横方向に敷き詰められて配置されている。
そのため、複数配列された太陽光パネル２００のうち、例えば一つのパネル２００が故障した場合には、複数配列された太陽光パネル２００を順次取り外し、通路を確保して、故障しているパネル２００のところまで作業員が行く必要がある。
【０００７】
具体的に説明すると、図１２の構成の場合、例えば太陽光パネル２００Ａ、２００Ｂ、２００Ｃの順に取り外しを行う必要がある。
その場合、作業者は、先ず太陽光パネル２００Ａを取り外すために、太陽光パネル２００Ａの一方の辺を保持する取付装置５０Ａ、５０Ｂのナット５５及び押さえ板部５４を外し、さらに他方の辺を保持する取付装置５０Ｃ、５０Ｄのナット５５及び押さえ板部５４を外す。
これにより太陽光パネル２００Ａを保持する部材が無くなり、太陽光パネル２００Ａが取り外し可能となる。
【０００８】
また、このとき太陽光パネル２００Ｂを保持するものは、取付装置５０Ｅ、５０Ｆのみであるため、作業者は取付装置５０Ｅ、５０Ｆのナット５５及び押さえ板部５４を外し、それにより太陽光パネル２００Ｂが取り外し可能となる。
また、太陽光パネル２００Ｂが取り外されると、太陽光パネル２００Ｃを保持するものは、前記取付装置５０Ｅ、５０Ｆとは反対側の取付装置５０（図示せず）のみであるため、作業者は、それら取付装置５０のナット５５及び押さえ板部５４を外して太陽光パネル２００Ｃを取り外すことになる。
【０００９】
ところで、図１２、図１３に示した取付構造にあっては、前記したように例えば太陽光パネル２００Ａを取り外した時点において、隣の太陽光パネル２００Ｂは、取付装置５０Ｅ、５０Ｆにより、一辺側のみが保持された状態となる。
しかしながら、そのように一時的であっても、一方の辺のみが保持された片持ち状態になると、不安定であるため、突風などに弱く、パネルが剥がれて飛ばされる虞があるという課題があった。尚、屋根上へのパネル取付時においても、パネル片持ちの状態が生じるため、同様の課題があった。
また、各太陽光パネル２０を取り外すために、そのパネルに対する全ての取付装置５０のナット５５及び押さえ板部５４を外す必要があるため、作業に手間を要するという課題があった。
【００１０】
本発明は、前記した点に着目してなされたものであり、屋根などの基体上に複数のパネルを効率的に配置することができ、また、各パネルの着脱を容易且つ安全に行うことのできるパネル取付具を提供することを目的とする。
【課題を解決するための手段】
【００１１】
前記した課題を解決するために、本発明に係るパネル取付具は、基体上において少なくともパネルの両側にそれぞれ設けられ、前記パネルの縁部を保持するパネル取付具であって、前記基体上に固定される方形状のベース板と、前記ベース板上の左右方向両側において、それぞれ前後方向に延びる壁板部と該壁板部の上端から外方に突出する鍔板部とを有し、左右両側が外方に開口する断面コの字状に形成された一対のガイド部と、前記一対のガイド部に設けられ、前記ガイド部の左右両側の開口からそれぞれパネルの縁部が挿入されることにより、前記挿入された各パネルの少なくとも上面または下面を押圧し、前記各パネルを前記ガイド部に把持させるパネル押圧手段とを備えることに特徴を有する。
このように、断面コの字型の開口を有するガイド部において、前記開口にパネルが挿入されることにより、そのパネルの上面または下面を押圧するパネル押圧手段を設けたため、パネル側縁部をしっかりと把持することができる。
また、パネルを取り外す際には、そのパネルを把持する全てのパネル取付具を取り外すのではなく、作業者側のパネル側縁部を把持するパネル取付具のみを取り外せばよいため、従来よりも短時間にパネルの取り外し作業を行うことができる。
また、基体上のパネル取付具に対し、パネルの一方の側縁部を容易に着脱することができるため、他方の側縁部側は作業者が終始手に持った状態でパネル取り付け、或いは取り外しの作業を行うことができる。即ち、一方のパネル側縁部のみを保持した片持ちの状態で放置されることがないため、パネルが飛ばされるなどの危険がなく、安全に作業を行うことができる。
【００１２】
尚、前記パネル押圧手段は、少なくとも前記ベース板または前記鍔板部に形成された左右方向に延びる開口部と、該開口部の長手方向の中央に設けられた前後方向に延びる回転軸と、前記回転軸によって前記開口部内でシーソー状に回動自在な回動バーと、前記回動バーの両端に設けられたパネル押さえ部材とを有し、前記パネル押さえ部材は、少なくとも前記ガイド部の底面部または天井部に位置し、前記ガイド部の左右両側の開口からそれぞれ挿入されたパネルの上面または下面を押圧することが望ましい。
また、前記パネル押さえ部材は、弾性部材により形成され、前記回動バーの両端に着脱可能に嵌合していることが望ましい。
また、前記パネル押圧手段は、少なくとも前記ガイド部の前後方向両側に、それぞれ１つ若しくは複数設けられることが望ましい。
このように構成することにより、隣り合うパネルの間隔を小さくすることができ、また、前記一対のガイド部の開口にパネル側縁部を挿入することで、パネルを把持することができるため、効率的に複数のパネルの着脱作業を行うことができる。
【００１３】
また、前記ベース板は、前記基体の上面から突設されたボルトが挿入可能な孔を有し、前記孔に前記ボルトが挿通された状態で、前記ベース板が前記基体上に配置され、前記ベース板は、前記ボルトに螺合可能なナットの締結により前記基体上に固定されることが望ましい。
このように構成することにより、例えば、基体としての既存の折板屋根に対しパネル取付具を容易に固定することができる。
【発明の効果】
【００１４】
本発明によれば、屋根などの基体上に複数のパネルを効率的に配置することができ、また、各パネルの着脱を容易且つ安全に行うことのできるパネル取付具を得ることができる。
【図面の簡単な説明】
【００１５】
【図１】図１は、本発明に係るパネル取付具により、折板屋根上に太陽光パネルを取り付けた状態を示す斜視図である。
【図２】図２は、本発明に係るパネル取付具を拡大した斜視図である。
【図３】図３は、図２のパネル取付具をＸ方向に見た正面図である。
【図４】図４は、図２のＡ−Ａ矢視断面図（平面図）である。
【図５】図５は、図２のパネル取付具をＹ方向に見た側面図である。
【図６】図６は、本発明に係るパネル取付具が有するパネル押さえ部材の、回動バーに対する取り付け構造例を示す断面図である。
【図７】図７は、本発明に係るパネル取付具により太陽光パネルを把持する手順を説明するための模式図であって、一対のガイド部に何も挿入されていない状態の側面図である。
【図８】図８は、本発明に係るパネル取付具により太陽光パネルを把持する手順を説明するための模式図であって、一方のガイド部にダミーパネルが挿入された状態の側面図である。
【図９】図９は、本発明に係るパネル取付具により太陽光パネルを把持する手順を説明するための模式図であって、他方のガイド部に太陽光パネルの側縁部を挿入する状態を示す側面図である。
【図１０】図１０は、本発明に係るパネル取付具により太陽光パネルを把持する手順を説明するための模式図であって、前記一対のガイド部にパネルが挿入された状態の側面図である。
【図１１】図１１は、本発明に係るパネル取付具の変形例を示す斜視図である。
【図１２】図１２は、従来のパネル取付装置を用いて、平面方形状の太陽光パネルを並べて配置した平面図である。
【図１３】図１３は、図１２のパネル取付装置の断面図である。
【発明を実施するための形態】
【００１６】
以下、本発明にかかるパネル取付具の実施の形態につき、図面に基づいて説明する。図１は、本発明に係るパネル取付具により、基体としての折板屋根上に太陽光パネルを取り付けた状態を示す斜視図である。
尚、図１においては、説明のために２枚の太陽光パネル１０１を並べて配置した例を示すが、より多数の太陽光パネル１０１を縦横のいずれの方向に並べて配置してもよい。また、図１に示す折板屋根１００の上面において、山型の延長方向をＸ方向（左右方向）とし、それに水平に直交する方向をＹ方向（前後方向）とする。
【００１７】
図１に示すように、各太陽光パネル１０１は、折板屋根１００上において、パネル四隅付近（左右側縁部）をそれぞれパネル取付具１により保持され固定される。
図示するように隣り合う２枚の太陽光パネル１０１の間には、Ｙ方向に所定間隔を空けて配置された１組のパネル取付具１が設けられ、それらパネル取付具１の左右両側で、隣り合う太陽光パネル１０１をそれぞれ保持し固定している。
このように太陽光パネル１０１を並べて配置する場合、１個分のパネル取付具１のスペース（隙間間隔）があればよいため、折板屋根１００上に効率的に多数の太陽光パネル１０１を配置することができる。
【００１８】
続いて、各パネル取付具１の構成について詳しく説明する。
図２は、１つのパネル取付具１を拡大した斜視図であり、図３はそのパネル取付具１をＸ方向に見た正面図である。また、図４は、図２のＡ−Ａ矢視断面図（平面図）であり、図５は、パネル取付具１をＹ方向に見た側面図である。
【００１９】
図２〜図５に示すように、各パネル取付具１は、折板屋根１００の山型天板部に固定可能な方形平板状のベース板２と、ベース板２上においてＸ方向（左右方向）の両側に対称配置され、太陽光パネル１０１の側縁部が挿入される一対のガイド部３とを有する。
前記ガイド部３は、ベース板２上のＸ方向（左右方向）両側においてＹ方向（前後方向）に延長されると共に垂直に立設された壁板部３ａと、壁板部３ａの上端から水平外方に鍔状に突出する鍔板部３ｂとを有する。これにより、前記ガイド部３は、外方に（左右両側にそれぞれ）開口する断面コの字状となされている。
【００２０】
また、ベース板２上には、例えば図４に示すように、Ｙ方向（前後方向）の両側に、Ｘ方向（左右方向）に長い方形状の開口２ａ、２ｂ（開口部）がそれぞれ設けられている。
また、開口２ａ、２ｂの長手方向の中央には、Ｙ方向に延びる回転軸５が設けられ、開口２ａ、２ｂの中で、それぞれ板状の回動バー６が回転軸５を軸としてシーソー状に回動自在となされている。また、このように回動バー６がシーソー状に上下に回動することを可能とするために、ガイド部３の壁板部３ａには、回動バー６の幅よりも広く、所定の高さ寸法を有する開口３ａ１、３ａ２が、各回動バー６に対応してそれぞれ設けられている。
【００２１】
また、回動バー６の両端上面には、例えばドーム状（半球状）に形成されたゴム製（弾性部材）のパネル押さえ部材７がそれぞれ設けられている。
このパネル押さえ部材７は、前記ガイド部３の底面部に位置し、前記ガイド部３（の開口）に挿入された太陽光パネル１０１の裏面を上方に押圧するように構成されている。
そのため、ガイド部３に挿入された太陽光パネル１０１の縁部は、強固に保持されるようになっている。
尚、前記パネル押さえ部材７の高さ寸法、及び幅寸法等は、ガイド部３に挿入される太陽光パネル１０１の縁部厚さ寸法に応じて適宜選択されればよい。
【００２２】
また、前記パネル押さえ部材７は、好ましくは図６に断面図で示すように、回動バー６に穿設された孔６ａに着脱可能に嵌入されて設けられる。
このようにすることで、パネル押さえ部材７が破損等で交換が必要な場合、或いは、太陽光パネル１０１の厚さ寸法に応じて高さ寸法の異なるパネル押さえ部材７に取り替えたい場合等に、容易に脱着し交換することができる。
尚、前記パネル押さえ部材７、回動バー６、回転軸５、ベース板２に形成された開口２ａ，２ｂ等によりパネル押圧手段が構成される。
【００２３】
また、前記のようにパネル取付具１が、隣り合う２枚の太陽光パネル１０１の間に配置される場合、左右両側のガイド部３にそれぞれ対応する太陽光パネル１０１の縁部が嵌入され把持される。
一方、パネル取付具１の隣に太陽光パネル１０１がない場合には、図５に示すように太陽光パネル１０１の代わりにダミーパネル１０２が嵌入されるようになっている。
ここで、太陽光パネル１０１の側縁部、及びダミーパネル１０２は、前記したようにその裏面にパネル押さえ部材７が圧着され、押圧されるため、ガイド部３に強固に保持（嵌合）されるようになっている。
【００２４】
また、各パネル取付具１は、そのベース板２を介して折板屋根１００に固定される。一般に、折板屋根１００は、これを建物に固定するためのフレームに突設されたボルト３０とナット３１により固定されるため、このボルト３０とナット３１を利用してベース板２が折板屋根１００上に固定される。
即ち、ベース板２の中央には、前記ボルト３０が挿通可能な孔（図示せず）が穿孔されており、折板屋根１００から上方に突設されたボルト３０に前記孔が挿通された後、ナット３１により折板屋根１００上に締結固定されるようになっている。
【００２５】
このように構成されたパネル取付具１において、ガイド部３に太陽光パネル１０１を嵌入する場合、図７に示すように何も保持していない状態から、図８に示すように一方のガイド部３にダミーパネル１０２（或いは太陽光パネル１０１）の縁部を挿入する。このとき、回動バー６はダミーパネル１０２が挿入される側において下方に回動し、それによりパネル押さえ部材７は下方に移動するため、ガイド部３にダミーパネル１０２を容易に挿入することが可能となっている。
【００２６】
前記のように一方のガイド部３にダミーパネル１０２が挿入されると、図９に示すように、他方のガイド部３に太陽光パネル１０１の一方の側縁部を挿入する。このとき、回動バー６において、一方のパネル押さえ部材７はダミーパネル１０２の底面に当接しているため、上方への回動が規制される。これにより他方のパネル押さえ部材７は逆に下方への回動が規制され、図示するように太陽光パネル１０１の押圧力により変形しながら、ガイド部３に太陽光パネル１０１が嵌入される。
【００２７】
また、パネル取付具１において一対のガイド部３に、図１０に示すようにダミーパネル１０２（或いは太陽光パネル１０１）と太陽光パネル１０１の一方の側縁部とが共に完全に挿入された状態となると、パネル押さえ部材７によるダミーパネル１０２の押圧力と、太陽光パネル１０１の押圧力とが均衡し、太陽光パネル１０１の一方の側縁部が安定してしっかりと把持される。
【００２８】
また、前記のようにして太陽光パネル１０１の一方の側縁部が把持されると、他方の側縁部を、新たな別のパネル取付具１の一方のガイド部３に先に挿入した状態で、そのパネル取付具１をボルト３０及びナット３１により折板屋根１００上に固定する。
これにより、太陽光パネル１０１の両側縁部が折板屋根１００上で把持されることになるが、このとき他方のガイド部３に何も挿入されていない状態では、前記したように前記パネル側縁部に対する把持力が弱い。そのため、前記他方のガイド部３に、ダミーパネル１０２、若しくは新たな別の太陽光パネル１０１の側縁部を挿入することにより、しっかりと把持することができる。
【００２９】
一方、パネル取付具１により保持された太陽光パネル１０１を取り外す際には、先ず、端側のパネル取付具１に挿入されているダミーパネル１０２を引き抜き、取り外す。
ダミーパネル１０２が取り外されると、そのガイド部３においてパネル押さえ部材７が上方に移動するように回動バー６が回動し、対をなす他方のガイド部３において、パネル押さえ部材７が下方に移動する。
これにより前記他方のガイド部３において、太陽光パネル１０１の裏面から押さえ部材７が離れ、さらに高さ方向の隙間が大きくなり、太陽光パネル１０１の一方の側縁部の把持力が緩くなる。
そして、そのパネル取付具１を屋根に固定しているナット３１を緩めて外すことによって、前記太陽光パネル１０１の一方の側縁部から前記パネル取付具１を容易に取り外すことができる。
【００３０】
また、前記のように太陽光パネル１０１の一方の側縁部がパネル取付具１により保持されない状態になると、作業者はその一方の側縁部側を手に持った状態で、他方の側縁部を引き抜き方向の力で取り外すことができ、パネル全体を容易に取り外すことができる。
即ち、各太陽光パネル１０１を取り外す際には、そのパネルを把持する全てのパネル取付具１を取り外すのではなく、作業者側のパネル側縁部を把持するパネル取付具１のみを取り外せばよい。これにより、従来よりも短時間に太陽光パネル１０１の取り外し作業を行うことができる。
【００３１】
また、太陽光パネル１０１の取り外し作業において、前記のように一方の側縁部が保持されない状態が生じるが、作業者はその太陽光パネル１０１から手を離さずに、引き抜き方向の力で他方の側縁部をパネル取付具１のガイド部３から安全に外すことができる。
また、そのとき、前記他方のパネル側縁部が引き抜かれたパネル取付具１により保持されている隣の太陽光パネル１０１は、前記パネル取付具１による把持力が低下するものの、その側縁部はガイド部３の鍔板部３ｂによって覆われる。そのため、仮に突風などが生じても、パネルが剥がれて飛ばされることがない。
【００３２】
以上のように本発明に係る実施の形態によれば、断面コの字型の開口を有するガイド部３において、底面部にパネル下面を押圧するパネル押圧手段を設けたことにより、前記ガイド部３の開口に挿入された太陽光パネル１０１の側縁部をしっかりと把持することができる。
また、パネル取付具１において、前記ガイド部３は左右対称に対配置されており、それら一対のガイド部３の間に設けられた回転軸５にてシーソー状に回動自在な回動バー６と、回動バー６の両端上面に設けられたパネル押さえ部材７とにより、各ガイド部３の底面部に前記パネル押圧手段を形成している。
この構成により、隣り合う太陽光パネル１０１の間隔を小さくすることができ、また、従来のようにパネル着脱の際に、一方のパネル側縁部のみを保持した片持ちの状態で放置されることがないため、パネルが飛ばされるなどの危険がなく、安全に作業を行うことができる。
また、各太陽光パネル１０１を取り外す際には、そのパネルを把持する全てのパネル取付具１を取り外すのではなく、作業者側のパネル側縁部を把持するパネル取付具１のみを取り外せばよいため、従来よりも短時間に太陽光パネル１０１の取り外し作業を行うことができる。
【００３３】
尚、前記実施の形態においては、１つのパネル取付具１につき、２つの回動バー６を設け、各ガイド部３にパネルに対し２点の押圧力が形成される構成とした。
しかしながら、本発明にあっては、その構成に限定されるものではなく、１つのパネル取付具１に３本以上の回動バー６を設け、各ガイド部３にパネルに対し３点以上の押圧力が形成される構成としてもよい。
また、Ｙ方向（縦方向）に複数の太陽光パネル１０１を配置する場合において、１つのガイド部３で隣り合う２枚の太陽光パネル１０１の角部を把持するようにしてもよく、その場合には、例えば、１枚の太陽光パネル１０１につき２点以上の押圧力が形成されるように、パネル取付具１に４本以上の回動バー６を設けることが望ましい。
【００３４】
また、前記実施の形態においては、パネル押圧手段として、ベース板２に開口２ａ、２ｂを形成し、そこに回動バー６を回動自在に設ける構成としたが、本発明に係るパネル取付具にあっては、その構成に限定されるものではない。
例えば、図１１に示すように、パネル押圧手段として、ガイド部３の鍔板部３ｂに開口３ｃを形成し、そこに回動バー６を回動自在に設けた構成としてもよい。
その場合、ガイド部３の左右両側に形成された断面コの字型の開口に太陽光パネル１０１の側縁を挿入することにより、パネル押さえ部材７がパネル上側からパネル１０１を下方に押圧し、パネル１０１をしっかりと把持することができる。
また、図示しないが、前記パネル押圧手段を、ベース板２側と鍔板部３ｂ側とにそれぞれ設けてパネル１０１を上下から押圧し、より強固に把持する構成としてもよい。
【００３５】
また、前記実施の形態においては、パネル取付具１によって取り付けられるパネルとして太陽光パネルを例に説明したが、パネルの種類は限定されるものではなく、その他の機能を有するパネル、例えば温水パネルであっても、本発明に係るパネル取付具を好適に用いることができる。
【００３６】
また、前記実施の形態においては、折板屋根１００上において、パネル取付具１によりパネルを取り付けるものとしたが、本発明に係るパネル取付具１にあっては、その形態に限定されるものではなく、如何なる基体上にパネルを取り付ける場合であっても好適に用いることができる。例えば、メガソーラーパネルを基体である架台上に取り付け、或いは取り外しする場合においても、本発明の効果を奏することができ、本発明の課題を解決することができる。
【符号の説明】
【００３７】
１          パネル取付具
２          ベース板
２ａ        開口
３          ガイド部
３ａ        壁板部
３ｂ        鍔板部
３ｃ        開口
５          回転軸
６          回動バー
７          パネル押さえ部材
３０        ボルト
３１        ナット
１００      折板屋根（基体）
１０１      太陽光パネル
１０２      ダミーパネル
【図１】
2014218812.tif 000003
【図２】
2014218812.tif 000004
【図３】
2014218812.tif 000005
【図４】
2014218812.tif 000006
【図５】
2014218812.tif 000007
【図６】
2014218812.tif 000008
【図７】
2014218812.tif 000009
【図８】
2014218812.tif 000010
【図９】
2014218812.tif 000011
【図１０】
2014218812.tif 000012
【図１１】
2014218812.tif 000013
【図１２】
2014218812.tif 000014
【図１３】
2014218812.tif 000015